(57)【要約】      （修正有）【課題】衝突を防ぐための警告機能を有する衝撃保護警告装置を提供する。【解決手段】衝撃保護警告装置は、硬質体１、軟質体２、粘着層３及び少なくとも１つの警告発光体４を備える。硬質体１は、折り曲げ部１１と、該折り曲げ部１１に延設された複数の側辺延伸部１２とを有する。軟質体２は、硬質体１の外側表面を被覆し、衝撃保護部２１と、該衝撃保護部２１に延設された複数の側辺被覆部２２とを有する。粘着層３は、硬質体１の内側表面に接続される。警告発光体４は、軟質体２の内部に設けられる。【選択図】図１Ｂ
0003170228.tif 000002
【実用新案登録請求の範囲】
【請求項１】
硬質体、軟質体、粘着層及び少なくとも１つの警告発光体を備える衝撃保護警告装置であって、
前記硬質体は、折り曲げ部と、当該折り曲げ部に延設された複数の側辺延伸部と、を有し、
前記軟質体は、前記硬質体の外側表面を被覆し、衝撃保護部と、当該衝撃保護部に延設された複数の側辺被覆部と、を有し、
前記粘着層は、前記硬質体の内側表面に接続され、
前記警告発光体は、前記軟質体の内部に設けられることを特徴とする衝撃保護警告装置。
【請求項２】
硬質体、軟質体、粘着層及び少なくとも１つの警告発光体を備える衝撃保護警告装置であって、
前記硬質体は、折り曲げ部と、当該折り曲げ部に延設された複数の側辺延伸部と、を有し、
前記軟質体は、前記硬質体の外側表面を被覆し、衝撃保護部と、当該衝撃保護部に延設された複数の側辺被覆部と、を有し、
前記粘着層は、前記硬質体の内側表面に接続され、
前記警告発光体は、前記硬質体の内部に設けられることを特徴とする衝撃保護警告装置。
【請求項３】
硬質体、軟質体、粘着層及び少なくとも１つの警告発光体を備える衝撃保護警告装置であって、
前記硬質体は、折り曲げ部と、当該折り曲げ部に延設された複数の側辺延伸部と、を有し、
前記軟質体は、前記硬質体の外側表面を被覆し、衝撃保護部と、当該衝撃保護部に延設された複数の側辺被覆部と、を有し、
前記粘着層は、前記硬質体の内側表面に接続され、
前記警告発光体は、前記粘着層の内部に設けられることを特徴とする衝撃保護警告装置。
【考案の詳細な説明】
【技術分野】
【０００１】
本考案は、衝撃保護装置に関し、特に、衝突を防ぐための警告機能を有する衝撃保護警告装置（impact-protecting guard）に関する。
【背景技術】
【０００２】
日常生活でよく使用される従来の衝撃保護装置は、大きく分けて能動型及び受動型に分けることができる。そのうち能動型の衝撃保護装置は、例えば、物の接近を感知すると、警告音を鳴らしたり警告ライトを点灯したりすることにより、視覚的又は聴覚的にユーザに警告する機能を有する。それに対し、受動型の衝撃保護装置は、例えば、階段の手すりや戸口の壁に貼設された発泡体からなるクッション、又は、棚、テーブルや椅子の角に接着されたクッションといった柔らかい物により、衝突の際の衝撃を和らげる機能を有する。
【０００３】
しかしながら、能動型の衝撃保護装置は、外部電源を接続したり電池を内蔵したりする必要があり、価格も高いためあまり普及していない。そのため、従来技術の問題点を解決し、能動型及び受動型それぞれの長所を兼ね備えた衝撃保護装置が求められていた。
【考案の概要】
【考案が解決しようとする課題】
【０００４】
本考案の目的は、衝突を防ぐための警告機能を有する衝撃保護警告装置を提供することにある。
【課題を解決するための手段】
【０００５】
上記課題を解決するために、本考案の第１の形態にかかる衝撃保護警告装置は、硬質体、軟質体、粘着層及び少なくとも１つの警告発光体を備える衝撃保護警告装置であって、前記硬質体は、折り曲げ部と、前記折り曲げ部に延設された複数の側辺延伸部とを有し、前記軟質体は、前記硬質体の外側表面を被覆し、衝撃保護部と、前記衝撃保護部に延設された複数の側辺被覆部とを有し、前記粘着層は、前記硬質体の内側表面に接続されることを特徴とする。
【考案の効果】
【０００６】
本考案にかかる衝撃保護警告装置は、発光して警告することや衝突したときの衝撃を和らげることができる上、硬質体及び軟質体に警告発光体を選択的に設けることにより、ユーザが所望する様々な使用方法及び機能に応じ、硬質体及び軟質体の組み合わせを変えて様々な態様の警告を行うことができる。
【図面の簡単な説明】
【０００７】
【図１Ａ】本考案の第１実施形態にかかる衝撃保護警告装置を示す斜視図である。
【図１Ｂ】本考案の第１実施形態にかかる衝撃保護警告装置を示す断面斜視図である。
【図１Ｃ】本考案の第１実施形態にかかる衝撃保護警告装置の警告発光体が軟質体の内部全体に設けられている状態を示す斜視図である。
【図１Ｄ】本考案の第１実施形態にかかる衝撃保護警告装置を示す断面図である。
【図１Ｅ】本考案の第１実施形態にかかる衝撃保護警告装置の警告発光体が軟質体の内部の一部に設けられている状態を示す斜視図である。
【図２Ａ】本考案の第２実施形態にかかる衝撃保護警告装置の警告発光体が硬質体の内部全体に設けられている状態を示す断面図である。
【図２Ｂ】本考案の第２実施形態にかかる衝撃保護警告装置の警告発光体が硬質体の内部の一部に設けられている状態を示す断面図である。
【図３Ａ】本考案の第３実施形態にかかる衝撃保護警告装置の警告発光体が軟質体及び硬質体の内部全体に設けられている状態を示す断面図である。
【図３Ｂ】本考案の第３実施形態にかかる衝撃保護警告装置の警告発光体が軟質体及び硬質体の内部の一部に設けられている状態を示す断面図である。
【図４Ａ】本考案の第４実施形態にかかる衝撃保護警告装置の警告発光体が粘着層の内部全体に設けられている状態を示す断面図である。
【図４Ｂ】本考案の第４実施形態にかかる衝撃保護警告装置の警告発光体が粘着層の内部の一部に設けられている状態を示す断面図である。
【考案を実施するための形態】
【０００８】
以下、本考案の実施形態について図に基づいて説明する。
【０００９】
（第１実施形態）
図１Ａ〜図１Ｅを参照する。図１Ａ〜図１Ｅに示すように、本考案の第１実施形態にかかる衝撃保護警告装置Ｍは、硬質体（rigid body）１、軟質体（soft body）２、粘着層（adhesive layer）３及び少なくとも１つの警告発光体４から構成される。
【００１０】
硬質体１は、プラスチック材料からなり、耐衝撃性、耐熱性、耐低温性及び耐化学薬品性を有し、電気性能が良好で、加工し易く、製品のサイズが安定し、表面の光沢が好ましく、透光性が高く、塗装・着色が行い易いため、衝撃保護警告装置Ｍの主なバックボーン（ｂａｃｋｂｏｎｅ）として用いるのに適している。硬質体１は、折り曲げ部１１と折り曲げ部１１に延設された複数の側辺延伸部１２とを有する。折り曲げ部１１の角度は、９０度の直角でもよいが、これに限定されず、角を弧状に形成してもよい。側辺延伸部１２は、実際の使用状況に応じて長さを調整することができる折り曲げ部１１の延伸部分である。
【００１１】
軟質体２は、可撓性及び耐磨耗性を有するプラスチック材料からなり、耐引き裂き性（tear-resistant）及び曲げ強度（bending strength）に優れ、引っ張り強度（tensile strength）及び破断伸び率（breaking elongation rate）が大きく、長期変形率が低く（low long-term deformation rate）、耐低温性（low-temperature resistant）、耐油性（oil-proof）、耐脂肪族系溶剤（aliphatic solvent-proof）、耐炭化水素系溶剤（carbon and hydrogen solvent-proof）、耐酸素性（oxygen-resistant）、耐オゾン性（ozone-resistant）及び耐老化性（anti-aging）を有し、透光性が高いため、衝撃保護警告装置Ｍの緩衝カバーとして用いるのに適している。軟質体２は、衝撃保護部２１と衝撃保護部２１に延設された複数の側辺被覆部２２とを有する。衝撃保護部２１及び側辺被覆部２２のサイズ及び形状は、折り曲げ部１１及び衝撃保護部２１と略同じである。硬質体１の外側表面は、軟質体２により被覆されている。衝撃保護部２１及び側辺被覆部２２は、折り曲げ部１１及び側辺延伸部１２にそれぞれ対応するように設けられている。
【００１２】
粘着層３は、硬質体１の内側表面に接続されている。粘着層３は、例えば、熱熔融型糊（hot glue）、両面テープ（double tape）、発泡テープ（foam tape）など、様々な種類のテープからなってもよい。粘着層３は、保護する物（例えば、図１Ｃに示すテーブルＴなど）に衝撃保護警告装置Ｍを接着させるために用いる。
【００１３】
警告発光体４は、蛍光体粒子（masterbatch fluorescent）又は蓄光粒子の塗布用接着剤（coating fluorescent agent）（ＳｒＭｇＡｌ４０８：Ｅｕ２＋Ｄｙ３＋）でもよく、図１Ｃでは当該部分がドットで示されている。警告発光体４は、軟質体２の内部に２種類の方式により設けられる。２種類の方式のうちの一方式は、警告発光体４を軟質体２の内部全体に設ける方式であり（図１Ａ〜図１Ｄ参照）、他の方式は、警告発光体４を軟質体２の内部の一部（例えば、図１Ｅの感嘆符の部分）だけに設ける方式である。
【００１４】
上述の衝撃保護警告装置Ｍは、粘着層３により、テーブルＴの角の辺縁部に接着される。衝撃保護警告装置Ｍの警告発光体４の蛍光体粒子は、光が当たると発光してユーザに注意を促す警告機能を有する。また、衝撃保護警告装置Ｍの警告発光体４の蓄光粒子は、蓄光機能を有するため、光が当たらないときでも、人や物などが当たることを防ぐように、数時間発光し続けることができる。衝撃保護警告装置Ｍの軟質体２は、上述の警告発光体４の警告機能で衝突を防ぐことができず、人や物などが当たった場合に、衝突により発生するエネルギーの一部を吸収し、人が怪我をしたり物が損傷したりすることによる被害を最小に抑えることができる。衝撃保護警告装置Ｍは、老人が不注意により当たったり、視線の高さが低い子供が当たったりして怪我をすることを防ぐことができるように、家の中で使用すると特に効果が高い。
【００１５】
本考案は、能動型の警告機能及び受動型の緩衝機能を兼ね備える上、電源で駆動させる必要もない。警告発光体は、軟質体の内部全体又は内部の一部分に選択的に設けられ、文字、記号などにより、様々な警告パターンを表示することができる。
【００１６】
（第２実施形態）
図２Ａ及び図２Ｂを参照する。図２Ａ及び図２Ｂに示すように、本考案の第２実施形態は、第１実施形態のように、警告発光体４が軟質体２の内部に設けられているのではなく、硬質体１の内部に設けられている。第２実施形態のその他の構造は、第１実施形態と同じであるため、硬質体１、軟質体２、粘着層３及び警告発光体４についての説明は省略する。
【００１７】
警告発光体４は、硬質体１の内部に２種類の方式により設けられる。２種類の方式のうち、一方式は、警告発光体４を硬質体１の内部全体に設ける方式であり（図２Ａ参照）、他の方式は、警告発光体４を硬質体１の内部の一部のみに設ける方式である（図２Ｂ参照）。警告発光体４が設けられた硬質体１は、軟質体２により被覆されているが、軟質体２のＴＰＵ（Thermoplastic Polyurethane）材料が透光性材料からなるため、蛍光体粒子又は蓄光粒子の警告機能に悪影響を及ぼすことがない。
【００１８】
（第３実施形態）
図３Ａ及び図３Ｂを参照する。図３Ａ及び図３Ｂに示すように、本考案の第３実施形態は、第１実施形態及び第２実施形態のように、警告発光体４が、軟質体２だけに設けられたり、硬質体１だけに設けられたりするのではなく、硬質体１及び軟質体２の内部にそれぞれ設けられている。第３実施形態のその他の構造（例えば、硬質体１、軟質体２、粘着層３、警告発光体４など）は、第１実施形態と同じであるため説明を省略する。
【００１９】
警告発光体４は、硬質体１及び軟質体２の内部に、２種類の方式により設けられる。２種類の方式のうちの一方式は、警告発光体４を硬質体１及び軟質体２の内部全体に設ける方式であり（図３Ａ参照）、他の方式は、警告発光体４を硬質体１及び軟質体２それぞれの内部の一部のみに設ける方式である（図３Ｂ参照）。また、警告発光体４は、実際の必要に応じ、硬質体１の内部全体及び軟質体２の内部の一部のみに設けたり（図示せず）、硬質体１の内部の一部のみ及び軟質体２の内部全体に設けてもよい（図示せず）。
【００２０】
本考案は、構造が簡素であり、容易に製造したり使用したりすることができる。以下、衝撃保護警告装置Ｍの製造工程を簡単に説明する。まず、蛍光体粒子とプラスチック材料とを高温下で混合し（以下「Ａ配合」という）、蓄光粒子とプラスチック材料とを混合する（以下「Ｂ配合」という）。続いて、二重射出成形機（double injection molding machine）を用いて、モールド金型内でＡ配合を硬質体１に射出成形してから、モールド金型を回転させ、Ｂ配合を軟質体２に射出成形する。その後、粘着層３を硬質体１の内側表面に貼設させ、衝撃保護警告装置Ｍを完成させる。上述の製造工程により、硬質体１が蛍光性を有し、軟質体２が畜光性を有する衝撃保護警告装置Ｍが製作される。また、上述の製造工程では、様々な警告機能及び効果を得ることができるように、硬質体１、軟質体２、蛍光体粒子及び蓄光粒子を様々な方式で組み合わせてもよい。
【００２１】
（第４実施形態）
図４Ａ及び図４Ｂを参照する。図４Ａ及び図４Ｂに示すように、本考案の第４実施形態は、第１実施形態及び第２実施形態のように、警告発光体４が、軟質体２だけや硬質体１だけに設けられるのではなく、粘着層３の内部に設けられている。第４実施形態のその他の構造（例えば、硬質体１、軟質体２、粘着層３、警告発光体４など）は、第１実施形態と同じであるため説明を省略する。
【００２２】
警告発光体４は、粘着層３の内部に２種類の方式により設けられる。２種類の方式のうちの一方式は、警告発光体４を粘着層３の内部全体に設ける方式であり（図４Ａ参照）、他の方式は、警告発光体４を粘着層３の内部の一部だけに設ける方式である（図４Ｂ参照）。
【００２３】
また、警告発光体４は、硬質体１、軟質体２及び粘着層３の内部全体にそれぞれ設けられてもよい。
【００２４】
本考案にかかる衝撃保護警告装置は、発光による警告や衝突の衝撃を和らげる機能を有する上、実際の必要に応じ、警告発光体を硬質体及び軟質体に選択的に設けることができ、ユーザが所望する使用方法及び機能に応じ、硬質体と軟質体との組み合わせを変えて様々な警告を行うこともできる。
【００２５】
当該分野の技術を熟知するものが理解できるように、本考案の好適な実施形態を上述の通り開示したが、これらは、本考案を限定するものではない。したがって、本考案の主旨と領域を逸脱しない範囲内で行われる各種の変更や修正は、本考案の実用新案登録請求の範囲に含まれる。
【符号の説明】
【００２６】
１    硬質体
２    軟質体
３    粘着層
４    警告発光体
１１  折り曲げ部
１２  側辺延伸部
２１  衝撃保護部
２２  側辺被覆部
Ｍ    衝撃保護警告装置
Ｔ    テーブル
【図１Ａ】
0003170228.tif 000003
【図１Ｂ】
0003170228.tif 000004
【図１Ｃ】
0003170228.tif 000005
【図１Ｄ】
0003170228.tif 000006
【図１Ｅ】
0003170228.tif 000007
【図２Ａ】
0003170228.tif 000008
【図２Ｂ】
0003170228.tif 000009
【図３Ａ】
0003170228.tif 000010
【図３Ｂ】
0003170228.tif 000011
【図４Ａ】
0003170228.tif 000012
【図４Ｂ】
0003170228.tif 000013